Podtech/llm-jp-corpus-v4-ja_patent huggingface dataset:
(57)【要約】【課題】超音波を用いたガス濃度測定方法に於いて、水素、二酸化炭素の如く音波を吸収する成分が含まれていた場合でも、該濃度計が精度良く測定できるような手段を提供する。【解決手段】超音波センサの共振周波数と合致したパルスを生成し、且つインバーターを用いて強力な送信波をドライブする回路を備える事により、音波が吸収されにくくなる。また3波目以降を常に受信波とするロジック回路を用いる事で、精度良くガス濃度を分析することを特徴とする超音波式ガス分析計による濃度測定手段。【選択図】図１
2010091489.tif 000002
【特許請求の範囲】
【請求項１】
超音波発信子と受信子を対向させて配置し、且つガス温度を測定する手段を具備し、超音波の伝播速度を演算処理することにより混合ガス中のガス濃度を測定する方法に於いて、パルス法にて精度良く濃度測定が可能であることを特徴とする超音波式ガス濃度計の計測方法。
【請求項２】
超音波発信子が持つ共振周波数のパルスを高性能マイコンにて生成し、超音波発信子の駆動する力を最大限に引き出すことにより、水素や二酸化炭素の如く音波の伝達を減衰するガス成分が含まれている測定に於いても、超音波の減衰を抑制することを特徴とする請求項１に記載の超音波式ガス濃度計の計測方法。
【請求項３】
超音波を受信子が検知し、マイコンにて該伝搬時間を計測する方法に於いて、3波目以降を受信した伝搬時間を精度良く測定することを特徴とする請求項１に記載の超音波式ガス濃度計の計測方法。
【請求項４】
受信した超音波波形を増幅する回路に於いて、該超音波周波数以外のノイズ成分を取り除く事により、受信波のみをマイコンに伝達出来る回路を特徴とする請求項１に記載の超音波式ガス濃度計の計測方法。
【発明の詳細な説明】
【技術分野】
【０００１】
本発明は、超音波により混合ガス濃度の測定に関するものである。
【背景技術】
【０００２】
混合ガス中を伝搬する超音波の伝播速度Vは、[式１]で表される如く、混合ガスの平均分子量M、比熱比γ、気体定数R及び絶対温度T[K]によって決まる。音速及び温度を測定すれば平均分子量が求まる。
（数1）
Ｖ２=γ・Ｒ・Ｔ／Ｍ  ------  [式１]
【０００３】
混合ガス中のガス成分が既知のときは、ガス温度Ｔ及び伝播速度Ｖを測定して平均分子量Mを求め、平均分子量Mからガス濃度を演算できる。濃度演算式はａ，ｂからなる２種混合理想気体の場合[式２]のごとくなる。
（数2）
ａガスの濃度（％）＝  Ｍ−ｍｂ  ／  ｍａ−ｍｂ  ×１００-----  [式２]
ｍａ及びｍｂはそれぞれａガス及びｂガスの分子量を表す。
【特許文献１】特開２００２−２５７８０１
【発明の開示】
【発明が解決しようとする課題】
【０００４】
パルス法による測定は連続送信波を生成する方式に比べて音波の減衰が極端に大きい為、いかにして１波目の送信波の減衰を軽減するかにあった。
【０００５】
しかるに1波目、2波目の受信波は非常に微少であり、伝搬時間の計測精度にばらつきが生じる為、安定した3波目以降を受信波とすることにより、信頼性の高い測定ができるようになる。
【課題を解決するための手段】
【０００６】
超音波発信子の公称周波数が40KHzである素子に於いて、殆どの超音波発信子の共振周波数は40KHzと若干異なる。Ａ社製40KHz超音波発信子の共振周波数は約39KHzであり、超音波を最大に発信させるには正確なパルスをマイコンにて生成し、超音波素子に伝送する必要がある。39KHzの半周期は12.82μsであることから少なくとも0.2μs単位でパルスを生成できるマイコンが必要となる。5MHz以上のパルス生成能力があるマイコンであれば、ほぼ共振周波数通りの正確なパルスを生成し、超音波発信子の駆動能力を十分に発揮できる。また送信回路にインバーターを4回路使うことにより、負電圧のパルスを送ることなく、超音波発信子に倍の電圧をもったパルスを送る事が出来る。
【０００７】
受信波を増幅及び波形を成形した後、4ビットカウンタ回路に入力する。カウンタ回路は入力に対してバイナリデーターで出力する為、4ビットカウンタ回路からの出力ラインを４回路以上備えた排他的論理和回路の入力ポートの片側にそれぞれ入力する。排他的論理和回路のもう片方の入力ポートには必要とする波形の順番を1または0入力にて決定する。この排他的論理和回路の出力を否定論理積回路に入力すれば各ラインすべてがバイナリデーターで1となった時のみ否定論理積回路は0を出力する。3波目の受信波を１波目としてマイコンに伝達する為には、排他的論理和回路をカウンタ下位ビットから順番に0,0,1,1と入力すれば、3波目の入力があった時のみ排他的論理和回路の入力はすべて0と1の入力となり、排他的論理和回路からの出力が4回路とも1となる。この結果から否定論理積回路は0と出力し、マイコンが立ち下がりパルスを精度良く検知する事が出来る。
【発明の効果】
【０００８】
パルス法は連続送信波に比べて回路設計が容易である為、コスト面で優位性がある。また水素の如く音波を減衰する成分が測定ガスに含まれていても、約70％〜80％の水素まで問題なく測定できるようになった。（表１）
【発明を実施するための最良の形態】
【０００９】
マイコンにて生成したパルスを高速波形観測の可能な計測器、例えばオシロスコープやスペクトルアナライザなどにて波形観測をする。そのパルス幅を変化させる事により、送信波の音圧レベルが最大となる周波数を見出すことが出来た。
【００１０】
超音波受信子が測定ガスを通過して受信した波形をオペアンプ等で1000倍以上に増幅し、受信波形がすべて電源電圧以上の音圧となり、音圧レベルが飽和した状態となる。この増幅した受信波形をカウンタ機能を搭載した74HC393のような4ビットカウンタIC-１に入力する。IC-1の出力ラインは4ビットで構成され、下位ビットからQA、QB、QC、QDとすれば、1波目が入力された場合の4ビットカウンタ各ビットの出力は、QA=1,QB=0,QC=0,QD=0となる。3波目の受信波が入力された場合であればQA=1,QB=1,QC=0,QD=0となる。この各ビットの出力を排他的論理和回路を4回路以上搭載した74LS86のようなIC-2に入力する。例えば3波目の波形が入力された場合に4回路すべての排他的論理和回路を1にするためには、QAの出力ラインを入力した回路の反対側の入力を0、QBの出力ラインを入力した回路の反対側の入力を0、QCの出力ラインを入力した回路の反対側の入力を1、QDの出力ラインを入力した回路の反対側の入力を1とする事により可能となる。このIC-2の出力をSN7420のような4回路入力否定論理積回路IC-3に入力する。IC-2の出力がすべて1になった場合のみ、IC-3の出力が0となる。これらの3個のICを用いることにより、受信波形の選択が可能となった。（図１）
【実施例１】
【００１１】
【表１】
2010091489.tif 000003
【図面の簡単な説明】
【００１２】
【図１】受信波形を選択するためのロジック回路を示した図面である。
【図１】
2010091489.tif 000004
(57)【要約】【課題】正面にボルトがある場合は、六角レンチが挿入しやすいが、狭い場所・手の届きにくい場所、又ボルトの頂部の内部が見えない場合レンチ挿入に時間がかかり、特に固いネジの場合又締め・緩めの繰り返し作業の場合レンチ挿入に時間がかかる。【解決手段】本発明はボルト頭部の側面に内部の６分割の穴に合わせ目印（マーク）を入れた、目印付きの六角穴付きボルトである【選択図】図１
2010091102.tif 000002
【特許請求の範囲】
【請求項１】
頂部に六角穴を設けたボルトの頂部の側面に、前期六角穴と、六角の角の点の延長上の六箇所の縦に凹凸のスジの入った目印を設けた六角穴付きボルト。
【発明の詳細な説明】
【技術分野】
【０００１】本発明は機械部品の組み立て用に使用する六角穴付きボルトに関するものである
【背景技術】
【０００２】従来の六角穴付きボルトは頂部の内部に締め付け・緩め用の工具（六角レンチ）を挿入時に手の感覚で六角穴をあわせて、レンチ挿入しボルトを，回転させていた。
【発明の開示】
【発明が解決しようとする課題】
【０００３】正面にボルトがある場合は、六角レンチが挿入しやすいが、狭い場所・手の届きにくい場所、又ボルトの頂部の内部が見えない場合６分割なのでレンチ挿入に時間がかかり、特に固いネジの場合又締め・緩めの繰り返し作業の場合レンチの挿入に時間がかかる欠点があった。
【課題を解決するための手段】
【０００４】上記欠点を解決する為本発明は、頂部Ａに六角穴を設けたボルトの頂部の外側面に、前記六角穴２と、六角の角の点の延長上の六箇所に凹状又は凸状のスジの目印３を設けたものである。
【発明の効果】
【０００５】ボルトに凹凸の目印・（マーク）を入れることにより素早く、レンチ（工具）を挿入しやすくすると共に、締め・緩めの時間短縮になる。特に頂部の六角穴が見えない場所、レンチが挿入しにくい場所、６０度ごとにレンチが差し替え難い場所等の作業に非常に便利であると共に作業時間の短縮になり、ボルトの緩みの点検の目印になり便利である。
【発明を実施するための最良の形態】
【０００６】頂部に六角穴を設けたボルトの頂部の側面に、前期六角穴と、六角の角の点の延長上の六箇所の縦に凹凸のスジの入った、目印を設けた六角穴付きボルトである。
本発明は以上のような構造である
本発明を使用するときは、ボルト頂部側面に凹凸の付いた目印を見ることにより、六角になったレンチ（工具）が六角になったボルトの穴に素早く合わせて入れることが出来る。
特にボルト頂部の六角穴が見えない場所でボルトの締め・緩めの繰り返し作業が発生する場合に頂部側面に目印が有ると、レンチ（工具）の挿入が素早く出来、作業時間の短縮になり又ボルトの緩み点検の目印になる。
【図面の簡単な説明】
【０００７】
【図１】本発明の側面及び平面から見た図
【図２】本発明の使用状態を示す図
【符号の説明】
１  六角穴付きボルト
２  六角穴
３  目印
Ａ  頂部
【図１】
2010091102.tif 000003
【図２】
2010091102.tif 000004
(57)【要約】【課題】    農機用コントロールケーブルのラチェット機構を用いた長さ調節装置であって、端末部材に設けられた長さ調節のためのラッチェット歯と、これに噛合う調節部材に設けられたロック歯とが、長さを調節する時にその操作力が従来は重かったが、適度の操作力で容易且つ確実に移動させることによって調節可能とする。【解決手段】長さ調節用のラチェット歯と、それに噛合うロック歯の角度を３９度から４３度とし、ピッチの最良の値を０.８ミリから１.５ミリに特定した。【選択図】  図１
2010091101.tif 000002
【特許請求の範囲】
【請求項１】
農機用コントロールケーブルの導管端部に固着され、その先端部の一領域における外側に軸芯方向にほぼ直行するラチェット歯（３）が多数刻設され、且つその軸芯部に前記コントロールケーブルの導管内に摺動自在に挿通される内索を挿通し得る内索挿通孔（２）が穿設された端末部材（１）と、該端末部材を囲むように保持して回転を拘束すると共に軸芯方向への移動を許容し、更に取付け長さを調節する調節部材（８）を挿嵌し得る有底の調節部材保持穴（４）が軸線に対して直行して設けられ、前記端末部材を関連機器の所定位置に固定保持しうる端末保持部材（５）と、該端末保持部材に設けられた前記調節部材保持穴（４）に挿嵌され前記端末部材を挿通し得る端末部材挿通孔（６）と、その一領域に設けられ前記ラチェット歯と噛合うロック歯（７）を有する調節部材（８）と、前記調節部材保持穴の底と前記調節部材との間に介在し、前記調節部材を前記調節部材保持穴の外方向に付勢したロックスプリング（９）とからなる農機用コントロールケーブルの長さ調節装置に於いて、前記ラチェット歯（３）の角度（Ａ）、及びロック歯（７）の角度が３９度から４３度であり、そのピッチ（Ｐ）が０．８ミリから１．５ミリであることを特徴とする農機用コントロールケーブルの長さ調節装置。
【発明の詳細な説明】
【技術分野】
【０００１】
本発明は農業機械の分野において、機器の遠隔操作にコントロールケーブルを用いて行う装置に於けるコントロールケーブルの長さ調節装置に関する。
その最も一般的な物はねじによって調節してナットで締め付け固定する構造は古くから知られている。しかしながらかかる構造のものは調節する時にスパナ等の工具が必要であり、その工具無しでは調節が出来ない不便があった、特に圃場等に於いて急遽調節が必要となった場合調節が極めて困難であった。かかる不便を克服するためにラチェエト機構を用いた構造の物が開発されている。
【背景技術】
【０００２】
【特許文献１】特開平６―１４７２１５号公報
【特許文献２】アメリカ特許第４１７５４５０号公報特許文献１及び２に於いては従来の工具による長さ調節機構を廃し、ラチェット機構によって工具を用いずに調節が出来る構造が示されている。
【発明の開示】
【発明が解決しようとする課題】
【０００３】
従来の発明等による長さ調節機構のラチェットに於いては特にその形状等に就いての定めは無く、単にラチェエト機構を採用しただけに過ぎず、従って図１に示す従来技術の構造において端末部材（１）をＦ矢指方向に移動させて調節する時に、ラチェット歯（３）に対して噛合っているロック歯（８）を乗り越えさせるためのＦ方向の操作力に可なりの力が必要となり、その時に弾みで調節し過ぎて再度の調整が必要と成ったり、固くて調節が極めて困難な事がある。
【課題を解決するための手段】
【０００４】
本発明はコントロールケーブルの長さを調節する時の操作力を軽くするため、噛合うラチェエト歯及びロック歯の角度とピッチの最良の値を特徴とした。
【発明の効果】
【０００５】
本発明による構造の農機用コントロールケーブルの長さ調節装置では、長さ調節に工具の必要がないことは言うまでも無く、比較的軽い力で調節できる効果がある。
【発明を実施するための最良の形態】
【０００６】
本発明の構造に於ける農機用コントロールケーブルの長さ調節装置、の最良の値を得るためにラチェット歯及びロック歯の角度（Ａ）を設計上最も常識的な角度である４５度を出発点としてピッチ（Ｐ）１．５ミリで角度を変えて実験した。
【０００７】
その結果は以下の表１に示したように、３９度から４３度の間が最も望しいことが判明した、尚ピッチについては出来る限り小さい方が調節が繊細に行えるものの、実際にはピッチが小さくなれば、ラチェット歯の高さ（Ｈ）が小さくなり物理的にコントロールケーブルの操作により発生する端末部材（４）に対するＧ矢指方向の反力に耐えられなくなるので、１．５ミリを基準として行った。  
【０００８】
【表１】
2010091101.tif 000003
【０００９】
上記の表にしめした通り、ラチェット歯とロック歯の角度が３９度から４３度の間が操作に適当な値であり、それ以下の３７度では操作力は軽すぎ、又それ以上の４５度では操作力が重すぎる。
【００１０】
尚ピッチについては前述の通りであり、実験の結果でも０．８ミリ以下では当然ラチェット歯の高さ（Ｈ）が低くなり、Ｇ方向の反力に耐えることは出来ない。
【産業上の利用可能性】
【００１１】
この装置は作業中に農業機械に取付けたまま、長さの調節が必要に成った時には即座に対応することが出来るので、あらゆる産業機械に使用することが出来る。
【図面の簡単な説明】
【００１２】
【図１】従来のコントロールケーブル用長さ調節装置の一実施例を示す切欠き側面図である。
【図２】。ラチェット歯と、ロック歯の関係の一部を示す側面簡略図。
【符号の説明】
【００１３】
１    端末部材
２    内索挿通孔
３    ラッチェット歯
４    調節部材保持穴
５    端末保持部材
６    端末部材挿通孔
７    ロック歯
８    調節部材
９    ロックスプリング
【図１】
2010091101.tif 000004
【図２】
2010091101.tif 000005
(57)【要約】【課題】燃料電池スタックにおいて、エネルギ効率の低下を抑制しつつ、端部セルを保温する。【解決手段】単セル１０を複数積層してなる燃料電池スタック１００は、単セル１０の積層方向の端部に配置された端部セルに当接して配置された伝熱板２０ａ，２０ｂと、伝熱板２０ａ，２０ｂにそれぞれ接続され、発電時に生成された高温の生成水ＨＷを貯水する貯水タンク５０ａ，５０ｂと、を備える。【選択図】図１
2010113959.tif 000002
【特許請求の範囲】
【請求項１】
燃料ガスと酸化剤ガスとの電気化学反応によって発電する単セルを複数積層してなる燃料電池スタックであって、
前記単セルの積層方向の端部に配置された端部セルに当接して配置された伝熱板と、
前記伝熱板に接続され、発電時に生成された生成水を貯水する貯水タンクと、
を備える燃料電池スタック。
【発明の詳細な説明】
【技術分野】
【０００１】
本発明は、燃料電池スタックに関するものである。
【背景技術】
【０００２】
燃料ガスと酸化剤ガスとの電気化学反応によって発電する燃料電池がエネルギ源として注目されている。このような燃料電池（単セル）を複数積層した燃料電池スタックでは、各単セルのカソードにおいて、発電時に、カソード反応によって、水（生成水）が生成される。そして、燃料電池スタックにおいて、単セルの積層方向の端部に配置された単セル（以下、端部セルと呼ぶ）は、放熱によって、中央部に配置された単セルよりも温度が低くなる。このため、端部セルでは、飽和水蒸気圧が低下し、生成水が凝縮しやすくなり、フラッディングやガス分配の不均一が生じやすくなる。
【０００３】
そこで、従来、例えば、燃料電池スタックに、端部セルを加熱するための電気ヒータを設けたり、外気よりも温度の高い冷却水を燃料電池スタックに循環させたりすることによって、端部セルの保温が行われていた。
【０００４】
【特許文献１】特開２００６−１７９４０４号公報
【特許文献２】特開２００５−１００７０１号公報
【発明の開示】
【発明が解決しようとする課題】
【０００５】
しかし、従来の技術では、端部セルの保温、すなわち、電気ヒータによる端部セルの加熱や、冷却水の循環のために、電気エネルギを必要とするため、エネルギ効率の低下を招いていた。
【０００６】
本発明は、上述の課題を解決するためになされたものであり、燃料電池スタックにおいて、エネルギ効率の低下を抑制しつつ、端部セルを保温することを目的とする。
【課題を解決するための手段】
【０００７】
本発明は、上述の課題の少なくとも一部を解決するために以下の形態又は適用例として実現することが可能である。
【０００８】
［適用例１］燃料ガスと酸化剤ガスとの電気化学反応によって発電する単セルを複数積層してなる燃料電池スタックであって、前記単セルの積層方向の端部に配置された端部セルに当接して配置された伝熱板と、前記伝熱板に接続され、発電時に生成された生成水を貯水する貯水タンクと、を備える燃料電池スタック。
【０００９】
適用例１の燃料電池スタックでは、発電時に生成された高温の生成水を貯水タンクに貯水し、この生成水の熱を、貯水タンクに接続された伝熱板を介して端部セルに伝導させることによって、端部セルを加熱することができる。このため、端部セルの保温のために、電気エネルギを必要としない。したがって、適用例１の燃料電池スタックによって、エネルギ効率の低下を抑制しつつ、端部セルの保温を行うことができる。
【発明を実施するための最良の形態】
【００１０】
以下、本発明の実施の形態について、実施例に基づき説明する。
図１は、本発明の一実施例としての燃料電池スタック１００の概略構成を示す説明図である。
【００１１】
燃料電池スタック１００は、水素と酸素との電気化学反応によって発電する単セル１０を、複数積層させたスタック構造を有している。各単セル１０は、概ね、プロトン伝導性を有する電解質膜の両面に、それぞれアノード、および、カソードを接合した膜電極接合体を、セパレータによって挟持した構成となっている。本実施例では、電解質膜として、ナフィオン（登録商標）等の固体高分子膜を用いるものとした。
【００１２】
燃料電池スタック１００は、一端から、エンドプレート４０ａ、絶縁板３０ａ、伝熱板２０ａ、複数の単セル１０、伝熱板２０ｂ、絶縁板３０ｂ、エンドプレート４０ｂの順に積層することによって構成されている。伝熱板２０ａ，２０ｂには、それぞれ、燃料電池スタック１００において、発電時に上記電気化学反応によって生成され、アノードオフガスやカソードオフガスとともに排出された生成水を貯水するための貯水タンク５０ａ，５０ｂが接続されている。
【００１３】
燃料電池スタック１００の各単セル１０のアノードには、図示しない水素供給配管を介して、燃料ガスとしての水素が供給される。各単セル１０のアノードから排出されるアノードオフガスは、配管６０を介して、貯水タンク５０ａに導入される。そして、アノードオフガスに含まれる高温の生成水ＨＷは、貯水タンク５０ａで分離されて貯水される。生成水ＨＷが分離されたアノードオフガスは、配管６１を介して、排気される。
【００１４】
燃料電池スタック１００の各単セル１０のカソードには、図示しない空気供給配管を介して、コンプレッサによって圧縮された圧縮空気が、酸素を含有した酸化剤ガスとして供給される。各単セル１０のカソードから排出されるカソードオフガスは、配管６２を介して、貯水タンク５０ｂに導入される。そして、カソードオフガスに含まれる高温の生成水ＨＷは、貯水タンク５０ｂで分離されて貯水される。生成水ＨＷが分離されたカソードオフガスは、配管６３を介して、排気される。
【００１５】
本実施例の燃料電池スタック１００では、貯水タンク５０ａ，５０ｂに貯水された高温の生成水ＨＷの熱を、それぞれ、伝熱板２０ａ，２０ｂを介して、複数の単セル１０の積層方向の端部に配置された端部セルに伝導させることによって、端部セルを加熱することができる。このため、端部セルの保温のために、電気エネルギを必要としない。したがって、以上説明した燃料電池スタック１００によれば、エネルギ効率の低下を抑制しつつ、端部セルの保温を行うことができる。
【図面の簡単な説明】
【００１６】
【図１】本発明の一実施例としての燃料電池スタック１００の概略構成を示す説明図である。
【符号の説明】
【００１７】
１００…燃料電池スタック
１０…単セル
２０ａ，２０ｂ…伝熱板
３０ａ，３０ｂ…絶縁板
４０ａ，４０ｂ…エンドプレート
５０ａ，５０ｂ…貯水タンク
６０，６１，６２，６３…配管
ＨＷ…生成水
【図１】
2010113959.tif 000003
(57)【要約】【課題】本発明の課題は、周囲の状況を把握し光量を自動調整することにより、作業が自動化され、個人の主観的判断による調整誤差（熟練度のばらつき）がなくなる自動調光投光器を提供することにある。【解決手段】本発明は、光の種類及び最大光量を設定する光量調整幅設定回路１１と、対象物までの距離を測定する測距離回路及び対象物周囲の光量を測定する光量センサよりなるセンサ回路１２と、光量調整幅設定回路１１で設定した光の種類及び最大光量の範囲内でセンサ回路１２により測定した距離及び光量に応じた光量制御信号を出力する制御部１３と、制御部１３から入力された光量制御信号により光量が調整された光を発光する発光部１４と、前記光量調整幅設定回路１１、前記センサ回路１２、前記制御部１３、及び前記発光部１４に電源部１５より電力供給を開始するスイッチ回路１６とを具備することを特徴とする。【選択図】図１
2010113994.tif 000002
【特許請求の範囲】
【請求項１】
光の種類及び最大光量を設定する光量調整幅設定回路と、
対象物までの距離を測定する測距離回路及び対象物周囲の光量を測定する光量センサよりなるセンサ回路と、
前記光量調整幅設定回路で設定した光の種類及び最大光量の範囲内で前記センサ回路により測定した距離及び光量に応じた光量制御信号を出力する制御部と、
前記制御部から入力された光量制御信号により光量が調整された光を発光する発光部と、
前記光量調整幅設定回路、前記センサ回路、前記制御部、及び前記発光部に電力供給を開始するスイッチ回路と
を具備することを特徴とする自動調光投光器。
【発明の詳細な説明】
【技術分野】
【０００１】
本発明は、例えば軍隊の夜間作戦行動時における制圧装置等に用いられる周囲の状況を把握し光量を自動調整する自動調光投光器に関するものである。
【背景技術】
【０００２】
現状のライト（懐中電灯、投光器等）はあらかじめ設定された光量を照射するように設計されている。夜間作業時、努めて周囲に光を漏らしたくない状況においては過剰な光量となる場合がある（特に軍隊が夜間戦闘を実施する場合）。
【特許文献１】特開２００７−１５７６７３号公報
【発明の開示】
【発明が解決しようとする課題】
【０００３】
本発明は上記の事情に鑑みてなされたもので、周囲の状況を把握し光量を自動調整することにより、作業が自動化され、個人の主観的判断による調整誤差（熟練度のばらつき）がなくなり、例えば隊員の行動能力の底上げ（能力の平均化）が可能となる自動調光投光器を提供することを目的とする。
【課題を解決するための手段】
【０００４】
上記目的を達成するために本発明の自動調光投光器は、光の種類及び最大光量を設定する光量調整幅設定回路と、対象物までの距離を測定する測距離回路及び対象物周囲の光量を測定する光量センサよりなるセンサ回路と、前記光量調整幅設定回路で設定した光の種類及び最大光量の範囲内で前記センサ回路により測定した距離及び光量に応じた光量制御信号を出力する制御部と、前記制御部から入力された光量制御信号により光量が調整された光を発光する発光部と、前記光量調整幅設定回路、前記センサ回路、前記制御部、及び前記発光部に電力供給を開始するスイッチ回路とを具備することを特徴とするものである。
【発明の効果】
【０００５】
本発明の自動調光投光器は、周囲の状況を把握し光量を自動調整することにより、作業が自動化され、個人の主観的判断による調整誤差（熟練度のばらつき）がなくなり、例えば隊員の行動能力の底上げ（能力の平均化）が可能となる。
【発明を実施するための最良の形態】
【０００６】
以下図面を参照して本発明の実施の形態を詳細に説明する。
【０００７】
図１は本発明の実施形態に係る自動調光投光器を示す構成説明図である。図１において、１１は光量調整幅設定回路であり、光量調整幅設定回路１１は使用状況に応じた例えば可視光、または不可視光の赤外光、紫外光等の光の種類を設定できると共に、例えば＊＊＊ｌｘまで等の最大光量も設定できる。１２はセンサ回路であり、センサ回路１２は照射対象物までの距離を測定する測距離回路及び照射対象物周囲の光量を測定する光量センサ等より構成される。尚、センサ回路１２は例えば湿度等の照射対象物の状況を測定するようにしてもよい。
【０００８】
１３は制御部であり、制御部１３は前記光量調整幅設定回路１１で設定した光の種類及び最大光量の範囲内で前記センサ回路１２により測定した距離及び光量等の照射対象物の状況に応じた光量制御信号を出力する。１４は不可視光（赤外光、紫外光等）または可視光を発光する発光ＬＥＤまたは電球によりなる発光部であり、発光部１４は前記制御部１３から入力された光量制御信号により光量が調整された光を発光する。１５は電池または充電された大容量コンデンサ等よりなる電源部である。１６はスイッチ回路であり、スイッチ回路１６はスイッチ操作により前記電源部１５から前記光量調整幅設定回路１１、前記センサ回路１２、前記制御部１３、及び前記発光部１４に電力供給を開始する。
【０００９】
図１に示すように、発光部１４から光を照射する前に、光量調整幅設定回路１１に可視光、または不可視光の赤外光、紫外光等の光の種類及び最大光量を設定すると共に、センサ回路１２により照射対象物までの距離及び照射対象物周囲の光量等の照射対象物周囲の状況を測定する。
【００１０】
スイッチ回路１６のスイッチ操作により前記電源部１５から前記光量調整幅設定回路１１、前記センサ回路１２、前記制御部１３、及び前記発光部１４に電力供給を開始すると、制御部１３は前記光量調整幅設定回路１１で設定した光の種類及び最大光量の範囲内で前記センサ回路１２により測定した距離及び光量等に応じた光量制御信号を出力する。この場合、制御部１３は照射対象物までの距離が長い場合には光量を多くするように制御し、照射対象物までの距離が短い場合には光量を少なくするように制御する。また、照射対象物周囲の光量が多く明るい場合には光量を少なくするように制御し、照射対象物周囲の光量が少なく暗い場合には光量を多くするように制御する。
【００１１】
前記制御部１３からの光量制御信号は発光部１４に入力され、発光部１４は光量制御信号により光量が自動調整された光を発光して対象物に照射する。
【００１２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００１３】
【図１】本発明の実施形態に係る自動調光投光器を示す構成説明図である。
【符号の説明】
【００１４】
１１…光量調整幅設定回路、１２…センサ回路、１３…制御部、１４…発光部、１５…電源部、１６…スイッチ回路。
【図１】
2010113994.tif 000003
(57)【要約】      （修正有）【課題】対向車のヘッドライトによる幻惑を防止する。【解決手段】光の拡散を減少させる為に１００本以上のパイプで分散して、レンズで焦点を遠方に置く。パイプの厚みとパイプ間が光の通過を減少させるので、パイプの代わりにハニカム構造体を用いて、それを数個に分割して光をセンター右下向き左向きとする事で真正面と左側には遠くまで光を照射できる。対向車には（右側）下向きの光の照射なので幻惑は起こらない。左側が視認しやすくなるので人身事故を防ぐことが出来る。【選択図】図２
2010113857.tif 000002
【特許請求の範囲】
【請求項１】
多角形のパイプ特に六角形のパイプの構造体であるハニカムをセンター、左右、下向きに光が行くように３ないし５分割して、ブロック体を作り、それを合体した構造体である。
又光の性質は拡散するので、一つ一つの六角形のハニカムにレンズを取り付ける。
【発明の詳細な説明】
【技術分野】
【０００１】
自動車部品
【背景技術】
【０００２】
現在の自動車は夜間走行時に、ヘッドライトをハイビームで走行して、対向車が来た場合双方の車が幻惑防止のためにロービームにして走行している。
この操作を数秒おきに行っているし、実際の運転では下向きのままの危険な運転を行っている。車速を考慮すればロービームでの確認は無理がある。
【発明の開示】
【発明が解決しようとする課題】
【０００３】
自動車を夜間に運転するときは、ヘッドライトを上向きと下向きに切り替えながら運転をしなければならない。しかし、車が多くなり対向車の列が切れる時間が短いために、走行時間の８〜９割以上が下向きのままで走行をしているのが現状である。
しかし、速度が６０ｋｍ前後では下向きのライトの距離５０ｍでは、事故につながる危険性がある。
【課題を解決するための手段】
【０００４】
対向車のヘッドライトの光に幻惑するのか、と原因を考えれば強い光が拡散しながら地面を照らすので、不要な部分の光が対向車の運転手の目線も照らしてします。この事が眩しく幻惑するのである。
そのためにライトの面積を多角形の細いパイプで何十本かに分けて一つにしてブロック体にする。そしてブロック体を複数個作り、そのブロック体の向きを必要な方向だけに光が向かうようにする。しかし、小さいパイプでも光は拡散が起きるために、パイプにレンズをつけることで、光の拡散率を少なくして地面の必要な部分だけを光が照らす。パイプは六角形の場合はハニカム構造体となり、一体性で製造ができるので最適である。
【発明の効果】
【０００５】
特に冬場の夜間運転では、歩行者が黒い服を着ていて確認が遅れていたが、下向きのライトでなく、本発明の光コントロールハニカムヘッドライトでは、８０ｍ先が確認できているので運転に余裕があり、又対向車が来たら下向き  そして上向きと頻繁に操作をする必要がなくなり、その分安全確認に集中が生まれる。
【発明を実施するための最良の形態】
【０００６】
パイプの厚みで光の通過量が、影響されるのでパイプの肉厚を限りなく薄くする事が必要であり、その為に六角形であれば、パイプ同士の間が共有化になり、ハニカム構造で有ればパイプ厚みを共有化の分だけ、光の通路がより大きくなる。この為に照度が確保できる。レンズの焦点距離とレンズの配置を最適な条件とする。
【産業上の利用可能性】
【０００７】
自動車を運転するすべての人が、夜間の運転操作でストレスの軽減を享受できる。
実際に車の速度が５０〜６０ｋｍの場合、ライトを下向きにして走行していると、５０ｍぐらいまでしか光が届いて無く、歩行者を確認しても車の止まれる停止距離は５０ｍのために、事故に繋がっている。
ライトを上向きにしても数秒で対抗手が来るので、ほとんどが下向きでの走行である。
その為に大都市では街路灯の設置が必要である。
【図面の簡単な説明】
【０００８】
【図１】は自動車のヘッドライトの側面図と光コントロールハニカムの側面図。光通路管一本だけの側面図
【図２】はヘッドライトに光コントロールハニカムを取り付けた状態の正面図。光コントロールハニカムの一部分の正面図。
【図３】光コントロールハニカムのセンター照射用ブロック体の平面図。
【図４】光コントロールハニカムセンターと左側の側面図。
【図５】光コントロールハニカム右側の側面図。
【符号の説明】
【０００９】
１はランプ  ２はヘッドライト本体  ３は光コントロールハニカム  ４はレンズ  ５は光通路  ６はブロック傾斜体  ７は左側照射用ブロック  ８は右側照射用ブロック  ９はセンター照射用ブロック  
【図１】
2010113857.tif 000003
【図２】
2010113857.tif 000004
【図３】
2010113857.tif 000005
【図４】
2010113857.tif 000006
【図５】
2010113857.tif 000007
(57)【要約】【課題】  インターネットを有線又は無線にて案内板に設置したディスプレイに受信機を介して接続し、通常の１００ボルトの通電をして、画像表示装置パネルであるディスプレイが稼動するようにして、広告宣伝及びバス運行情報等に供するものである。【解決手段】  案内板下部を地中に埋設して転倒防止をして、案内板本体には案内板に設置したディスプレイ上部に広告会社からの広告画像及び音声を受信して該ディスプレイに表示する。該ディスプレイの下部にはバス会社からの運行状況及び公共機関からの情報を表示する。中央部には照明装置の付いた夜間でも視認可能な時刻表を設置した事を特徴とするモバイルパネル板付バス停留所案内板広告塔。【選択図】図１
2010113317.tif 000002
【特許請求の範囲】
【請求項１】
案内板本体（１）には下部に支柱（２）を設け、本体が転倒しないように地中に先端（３）を埋設し安定を図り、本体には画像表示装置のディスプレイ（４）を上部に設け、そのディスプレイには広告用画像を表示する、及び、該ディスプレイ下部等にはバス会社からの運行に関する文字表示並びに緊急公報が可能なディスプレイとし、中央にはバス発着の時刻表スペース（５）を設けて、本体内部には、ブルーツース機能（短距離無線機能）を内蔵した携帯電話装置（７）、及び、ネット送受信可能な画像及び音声の受信装置（６）、時刻表照明器具（８）、スピーカー（９）、電源引き込み口（１０）、を内蔵させた事を特徴とするモバイルパネル板付バス停留所案内板広告塔
【発明の詳細な説明】
【技術分野】
【０００１】  本発明は有線及び無線によりインターネット送受信が可能なようにして、外部から広告やバス運行情報等を表示できるモバイルパネル付バス停留所案内板に関するものである。
【背景技術】
【０００２】  従来この種における停留所の立設されている案内板は、時刻表、行き先の表示及び一部に宣伝を表示したものが一般に散見されている現状である。
【発明の開示】
【発明が解決しようとする課題】
【０００３】  本発明は、上記従来で述べている各種の構成を全体的に改良したものである。
即ち、従来のものは、夜間では案内板の時刻表が読めない不便さ、及びバス運行会社からの事故、渋滞等の情報が知らされず、且つ広告宣伝は、ポスターを張り替える等の方法が一般的であるため、製作に要する時間と費用が大変に掛かる問題点がある。
本発明は、以上の各問題点を解決したものであって、その主たる目的とする所は、案内板に対する広告の張替えに要する費用が節約できると共に、地域を網羅するバス運行会社の基地局としての利用価値を拡大するものである。
また、案内部に据え付けたディスプレイ機能は主に広告表示をし、その一部に、事故情報等バス会社及び公報等の情報を表示するモバイルパネル板付バス停留所案内板を提供しようとするものである。
【課題を解決するための手段】
【０００４】  上記目的を達成するために、本発明によれば、案内板本体は縦型に設置され、該ディスプレイには広告用、運行情報用の２つの異なる表示をする。広告用ディスプレイは、インターネットを有線にて案内板に接続し、通常の１００ボルトの通電をして、内蔵する画像及び音声の受信装置を介して広告ディスプレイが稼動するようにして、画像や音声による広告宣伝および、バスの運行情報を表示するものである。
【発明の効果】
【０００５】  本発明によれば、従来の案内板と異なり、宣伝広告の製作及び張替え等の手間と費用が不要となる効果と、内部の照明器具により夜間でも案内部の時刻が容易に読める便利な効果がある。また、宣伝広告をする事により得られる、広告収入によって案内板の製作費用を廉価にできるという利点がある。
【発明を実施するための最良の形態】
【０００６】  有線及び無線を稼動させるために、１００ボルト電源を接続し、内部照明により夜間においても案内板の時刻表が読めるようにし、ディスプレイには広告宣伝の他にバスの運行情報用の事故、渋滞情報の他に、地震等の発生や避難勧告を知らせる官公庁の情報も同様に流れるようにする。
更に、広告用ディスプレイには特にバス路線に関する地域に密着した飲食店、物品販売店の宣伝等にも使用でき地域の活性化に役立てる。
【実施例】
【０００７】  本発明の実施例を図面によって説明すると、案内板本体（１）は支柱（２）を設け、本体が転倒しないように地中埋設基礎部（３）を埋設し、案内板下部に電源引き込み口（１０）を設け、支柱（２）の中から地中に通し通電させる。
ディスプレイ（画像表示装置）本体（４）には、音声や画像で表示する広告用ディスプレイとバス運行情報等の情報用ディスプレイを併設し、本体中央部には内部に照明装置（８）により夜間でも時刻表が認識できる時刻表（５）と音声による広告や案内の為のスピーカー（９）を側面に設置し、有線によりネット配信が可能な画像及び音声受信装置（６）、ブルーツース機能（短距離無線機能）を内蔵した携帯電話装置（７）による、無線を利用した、広告・情報を表示する他に時刻表を合わせ持つモバイルパネル板付バス停留所案内板広告塔。
【図面の簡単な説明】
【０００８】
【図１】  本発明のモバイルパネル板付バス停留所案内板を示す正面図
【図２】  本発明のモバイルパネル板付バス停留所案内板を示す断面図
【符号の説明】
【０００９】  １  案内板本体
２  支柱
３  地中埋設基礎部
４  ディスプレイ（画像表示装置）本体
５  発着時刻表
６  画像及び音声の受信装置
７  画像及び音声の無線受信装置である、携帯電話機能装置
８  照明装置
９  スピーカー
１０  電源引き込み口
【図１】
2010113317.tif 000003
【図２】
2010113317.tif 000004
(57)【要約】【課題】  従来は、外出時や退庁時の火気点検や戸締まりの確認及び薬の飲み忘れ防止には視認やメモ等による確認方式が用いられていたが、確認ミスや確認忘れにより火災や盗難被害が発生したり、定期的に薬をのまなくてならないこと薬を失念して、体調を崩すことがあった。【解決手段】  外出時や退庁時に確認を必要とするガスの元栓、スト−ブの消火、戸締まり、消灯等の確認及び定期的に服用すべき薬の個別の札を操作することにより、確認ミスや薬の飲み忘れを防止しようとするものである。【選択図】図２
2010113318.tif 000002
【特許請求の範囲】
【請求項１】
個別の札を操作することにより、外出時や退庁時の火気、戸締まり、施錠等の確認及び薬の飲み忘れ等の防止など多目的の実施事項の確認と忘れ防止のできる器具
【発明の詳細な説明】
【技術分野】
【０００１】  この発明は、個別の札を操作することにより、外出時や退庁時の火気、戸締まり、施錠等の確認及び薬の飲み忘れ等の防止など多目的に実施事項の確認と忘れ防止のできる器具である。
【背景技術】
【０００２】  従来は、外出時や退庁時の火気点検や戸締まりの確認及び薬の飲み忘れ防止には視認やメモ等による確認方式が用いられていた。
特許文献としては、
特開２００２−４６５６（公開日  平成１４年１月９日）
特開２０００−２５９１０８（公開日  平成１２年９月２２日）
特開２０００−４８０４８（公開日  平成１２年２月１８日）
がある。
【発明の開示】
【発明が解決しようとする課題】
【０００３】  そのために、次のような問題点が生じていた。
１  確認ミスや確認忘れにより火災や盗難被害が発生していた。
２  外出途中で確認忘れに気づき、一時帰宅して再確認することがあった。
３  定期的に薬を飲むのを失念して、体調を崩すことがあった。
本発明は、以上の問題点を解決したものである。
【課題を解決するための手段】
【０００４】  外出時や退庁時に確認を必要とするガスの元栓、スト−ブの消火、戸締まり、消灯等の確認及び定期的に服用すべき薬の個別の札を操作することにより多目的に実施事項の確認と忘れ防止をする器具とする。
以上の構成からなる「外出時や退庁時に火気、戸締まり、施錠等及び血圧薬、胃薬などの個別の札を操作することにより多目的に実施事項の確認と忘れ防止ができる器具」である。
【発明の効果】
【０００５】  したがって、外出や退庁時に確実に火気、戸締まり等の確認チェックを行うことができ、火災や盗難防止を図れるほか定期的に飲むべき薬の飲み忘れ防止ができるものである。
【発明を実施するための最良の形態】
【０００６】  以下、本発明の実施の形態について説明する。
１  板の基盤に凹状態があり、そこにガス、ストーブ、戸締まり、電灯等及び血圧薬      、胃薬等と記載した個別の札が中心部の軸により動くように設ける。
２  その個別の札は、軸を中心に水平状態から垂直を過ぎるくらいの約１１０度動い      て止まるように設ける。
本発明は、以上の構成からなる「外出や退庁時に火気、戸締まり等の確認動作ができることと、薬を飲んだあとの確認動作をすることから、火災や盗難等の防止と薬の飲み忘れ防止を図れる」ものである。
以下、使用法について説明する。
１  器具の個別の札は、使用前に水平に倒しておく。
２  本器具を片手で持ち、ガスの元栓を閉めたときは「ガス」の個別の札を起こして      立て、ストーブを消火したときは「ストーブ」の個別の札を起こして立てる。また      、飲むべきの薬を飲んだ場合は、「血圧薬」「胃薬」等の個別の札を起こして立て      る。
個別の札は、垂直以上の約１１０度に傾くことから手で戻さない限り立っており      、確認済みの状況が明らかになっているものである。
３  元の状態に戻して再度の操作する場合は、個別の札を倒して元の状態にするもの      である。
本発明は、使用する者や目的によってどんな確認事項にも合わせて、個別札の記載は可能である。また、本器具は木と竹製のため安価で作製することができ、環境面でも好ましいものである。構造も単純なため壊れにくく、また、二人一組や子どもを含めた親子等で操作することにより、おもちゃ感覚で楽しく操作することができるものである。
【図面の簡単な説明】
【０００７】
【図１】本発明の斜視図で確認前の使用説明図
【図２】本発明の「ガス」と「ストーブ」を確認した使用説明図
【図３】本発明の「血圧薬」「胃薬」を飲んだことを確認した使用説明図
【図４】本発明の全事項を確認した使用説明図
【符号の説明】
【０００８】    １は基盤
２は個別の札
【図１】
2010113318.tif 000003
【図２】
2010113318.tif 000004
【図３】
2010113318.tif 000005
【図４】
2010113318.tif 000006
(57)【要約】      （修正有）【課題】広告宣伝効果の維持が可能なポケットテッシュを提供する。【解決手段】光沢紙１、２の裏面を貼り合わせ光沢紙１、２の表面に広告宣伝を印刷する。薄型ミラー３に両面テープ４を貼り、光沢紙１の枠に薄型ミラー３を貼り付け、薄型ミラー付き広告宣伝カードを構成、薄型ミラー付き広告宣伝カードをポケットテッシュ裏６のアウトポケットに挿入。テッシュ紙７の柔らかな弾力性を利用することにより、薄型ミラー３表面のキズ、曲がり、歪みを防止する。薄型ミラー付き広告宣伝ポケットテッシュは、ユーザーが簿型ミラーカード、保有目的のため、新たなポケットテッシュに入れ替えることにより、広告宣伝効果が維持できる。【選択図】図２
2010113320.tif 000002
【特許請求の範囲】
【請求項１】
光沢紙表側と光沢紙裏側の裏面を貼り合わせ光沢紙表側と光沢紙裏側に広告宣伝を印刷する。薄型ミラーに両面テープを貼り、光沢紙表側に薄型ミラーを貼り付け、薄型ミラー付き広告宣伝カードを構成し、その薄型ミラー付き広告宣伝カードをポケットテッシュ裏のアウトポケットに挿入。テッシュ紙の柔らかな弾力性を利用することにより、薄型ミラー表面のキズ、曲がり、歪みを防止しする技術構造の薄型ミラー付き広告宣伝ポケットテッシュ。
【請求項２】
薄型ミラーに鏡面仕上ステンレスの厚み０．１ミリから０．５ミリの材料を使用、素材の曲がりや歪みをフラット強制する金型を使用、プレス加工時、薄型ミラーをフラットに修復、形成する技術構造の請求項１に記載の薄型ミラー付き広告宣伝ポケットテッシュ。
【請求項３】
薄型ミラーを形成する際、外周に有害なバリが出る。有害なバリを防止するため、外周面押金型を使用しプレス加工時、有害なバリを押し潰し、安全な薄型ミラーを形成する技術構造の請求項１に記載の簿型ミラー付き広告宣伝ポケットテッシュ。
【請求項４】
薄型ミラーの形は、正方形、円形、ハート形、異形に加工形成できる構造の、請求項１に記載の薄型ミラー付き広告宣伝ポケットテッシュ。
【請求項５】
ポケットテッシュは、各サイズがあり、サイズに対応し、薄型ミラーカードを加工形成できる構造の、請求項１に記載の薄型ミラー付き広告宣伝ポケットテッシュ。
【請求項６】
薄型ミラーの材質を樹脂系のエンビ材、ペット材の厚み０．１ミリから０．５ミリ材料をプレス加工形成できる構造の請求項１に記載の薄型ミラー付き広告宣伝ポケットテッシュ。
【発明の詳細な説明】
【技術分野】
【０００１】本発明は、ポケットテッシュのアウトポケットに薄型ミラー付きの広告宣伝カードを挿入しユーザーが長く保有することで、広告宣伝効果の維持を目的とした薄型ミラー付き広告宣伝ポケットテッシュに関するものである。
【背景技術】
【０００２】従来の、広告宣伝ポケットテッシュは、ユーザーがテッシュ使用後、ゴミ処分することで、広告宣伝効果の維持が困難である。【０００３】意願２００８−２６８３７  簡易携帯鏡付きポケットテッシュ出願（申請）中。
【発明開示】
【発明が解決しようとする課題】
【０００４】従来の、広告宣伝ポケットテッシュは、ユーザーがテッシュ使用後ゴミ処分することで、広告宣伝効果の維持が困難。本発明は、広告宣伝カードに割れにくい安全な薄型ミラーを組合わせユーザーがテッシュ使用後でも、薄型ミラーカード保有目的のため、新たなポケットテッシュに入れ替え、広告宣伝効果の維持を提供する。
【課題を解決するための手段】
【０００５】光沢紙▲１▼、▲２▼の裏面を貼り合わせ光沢紙▲１▼、▲２▼の表面に広告宣伝を印刷する。薄型ミラー▲３▼に両面テープ▲４▼を貼り、光沢紙▲１▼の枠に薄型ミラー▲３▼を貼り付け、薄型ミラー付き広告宣伝カードを構成、薄型ミラー付き広告宣伝カードをポケットテッシュ裏▲６▼のアウトポケットに挿入。テッシュ紙▲７▼の柔らかな弾力性を利用することにより、薄型ミラー▲３▼表面のキズ、曲がり、歪みを防止しする技術構造。
薄型ミラー付き広告宣伝ポケットテッシュは、ユーザーが薄型ミラーカード、保有目的のため、新たなポケットテッシュに入れ替えることにより、広告宣伝効果が維持できる。
【発明の効果】
【０００６】本発明は、広告宣伝ポケットテッシュと薄型ミラーを組み合わせる構造によりユーザーが抵抗感無くミラーを使うことができ、テッシュ使用後は、新たなポケットテッシュに入れ替えることにより、広告宣伝効果が維持できる。本発明の、広告宣伝効果に大いなるものがある。
【実施例１】
【０００７】光沢紙▲１▼、▲２▼の裏面を貼り合わせ光沢紙▲１▼、▲２▼の表面に広告宣伝を印刷する。薄型ミラー▲３▼に両面テープ▲４▼を貼り、光沢紙▲１▼の枠に薄型ミラー▲３▼を貼り付け、薄型ミラー付き広告宣伝カードを構成、薄型ミラー付き広告宣伝カードをポケットテッシュ裏▲６▼のアウトポケットに挿入。テッシュ紙▲７▼の柔らかな弾力性を利用することにより、薄型ミラー▲３▼表面のキズ、曲がり、歪みを防止しする技術構造。【０００８】薄型ミラー▲３▼に鏡面仕上ステンレスの厚み０．１ミリから０．５ミリの材料を使用、素材の曲がりや歪みをフラット強制する金型を使用、プレス加工時、薄型ミラーをフラットに修復、形成する技術構造。【０００９】薄型ミラー▲３▼を形成する際、外周に有害なバリが出る。有害なバリを防止するため、外周面押金型を使用しプレス加工時、有害なバリを押し潰し、安全な薄型ミラーを形成する技術構造。【００１０】実施例では薄型ミラー▲３▼の鏡面ステンレス厚み０．１ミリから０．５ミリの材質を使用したが、ミラーの材質は限定するものではない。【００１１】薄型ミラー▲３▼を鏡面ステンレスにすることで、薄くても割れにくい安全なミラーを形成。【００１２】薄型ミラー▲３▼の厚み０．１ミリから０．５ミリにすることで、ミラーを軽量化、光沢紙▲１▼との厚みの違和感をなくする構造。【００１３】実施例では薄型ミラー▲３▼の形を四角形にしたが、正方形、円形、ハート形、異形の加工形成ができる構造。【００１４】実施例では薄型ミラー▲３▼の位置を光沢紙▲１▼の中央部にしたが薄型ミラー▲３▼の位置は自由で制限するものでない。【００１５】実施例では光沢紙▲１▼、▲２▼の両面光沢紙を使用したが印刷用途に応じ紙選定、印刷紙を限定するものではない。【００１６】光沢紙▲１▼、▲２▼の角を丸くすることで、ポケットテッシュの外袋を痛めない構造。【００１７】実施例では広告宣伝の印刷にしたが、販売促進に繋がる印刷に対して限定するものでない。【００１８】実施例ではレギュラーサイズのポケットテッシュだが、各サイズがあり、サイズに対応し、薄型ミラーカードを加工形成できる構造。【００１９】薄型ミラー▲３▼の材質を樹脂系のエンビ材、ペット材の厚み０．１ミリから０．５ミリ材料をプレス加工形成できる構造。
【図面の簡単な説明】
【００２０】
【図１】  本発明の部品図の一例である。
【図２】  本発明の使用状態を示す断面図の一例である。
【符号の説明】
▲１▼・・・光沢紙（表側）
▲２▼・・・光沢紙（裏側）
▲３▼・・・薄型ミラー
▲４▼・・・両面テープ
▲５▼・・・ポケットテッシュ表
▲６▼・・・ポケットテッシュ裏
▲７▼・・・テッシュ紙
【図１】
2010113320.tif 000003
【図２】
2010113320.tif 000004